(57)【要約】【課題】電気ケーブルの接続端子を取り付け易い電動リール用バッテリーを提供する。【解決手段】電動リール用バッテリーは、バッテリー本体と、バッテリー本体上に設けられる第１外部電極端子５とを備える。第１外部電極端子５は、長さ３０ｍｍ以上の第１係止部５１と、第１係止部５１の一端と所定角度で繋がっており長さ３ｍｍ以上の第２係止部５２とを有する。【選択図】図２
2008054597.tif 000002
【特許請求の範囲】
【請求項１】
バッテリー本体と、
長さ３０ｍｍ以上の第１係止部と、前記第１係止部の一端と所定角度で繋がっており長さ３ｍｍ以上の第２係止部とを有し、前記バッテリー本体上に設けられる外部電極端子と、
を備える電動リール用バッテリー。
【請求項２】
前記外部電極端子は、Ｌ字状に屈曲した形状を有する、
請求項１に記載の電動リール用バッテリー。
【請求項３】
前記外部電極端子は、前記第１係止部の他端と所定角度で繋がっており長さ３ｍｍ以上の第３係止部をさらに有し、Ｕ字状に屈曲した形状を有する、
請求項１に記載の電動リール用バッテリー。
【請求項４】
バッテリー本体と、前記バッテリー本体上に設けられる外部電極端子とを有する電動リール用バッテリーと、
前記外部電極端子に接続される接続端子を有し、前記電動リール用バッテリーと電動リールとを繋ぐ電気ケーブルと、
を備え、
前記外部電極端子は、
前記接続端子が係止可能な長さの第１係止部と、
前記第１係止部の一端と所定角度で繋がっており前記接続端子が係止可能な長さの第２係止部とを有する、
電動リール用バッテリーセット。
【請求項５】
前記外部電極端子は、Ｌ字状に屈曲した形状を有する、
請求項４に記載の電動リール用バッテリーセット。
【請求項６】
前記外部電極端子は、前記第１係止部の他端と所定角度で繋がっており前記接続端子が係止可能な長さの第３係止部をさらに有し、Ｕ字状に屈曲した形状を有する、
請求項４に記載の電動リール用バッテリーセット。
【発明の詳細な説明】
【技術分野】
【０００１】
本発明は、電動リール用バッテリーおよび電動リール用バッテリーセットに関する。
【背景技術】
【０００２】
近年、電動リールの電源として、持ち運びの容易な電動リール用バッテリーが利用されている。電動リール用バッテリーには外部電極端子が設けられており、電気ケーブルの一端に設けられた接続端子が外部電極端子に接続される。従来、この外部電極端子には、バッテリー本体の上面に平行な水平部分と水平部分に垂直に繋がった垂直部分とを有しL字状に屈曲した形状のもの（特許文献１参照）や、バッテリー本体から上方に突出する突起状のもの（特許文献２参照）などがあり、これらの部分に例えば鰐口クリップで形成された接続端子が取り付けられる。
【特許文献１】特開２００５−１６０４２２号公報（図７）
【特許文献２】特開２００２−３４４０５号公報（図２）
【発明の開示】
【発明が解決しようとする課題】
【０００３】
上記のような突起状の外部電極端子の場合、接続端子が係止可能な部分が小さく、また、接続端子を取り付ける方向が制限される。また、L字状に屈曲した外部電極端子の場合も、水平部分と比べて長さの短い垂直部分に係止させることは困難であり、接続端子は水平部分に係止される。このため、接続端子を取り付ける位置や取付方向が制限される。
【０００４】
このように、従来の電動リール用バッテリーでは、接続端子を取り付ける位置や取付方向の制限が大きく、バッテリー本体の設置の向きによっては、接続端子を外部電極端子に取り付けることが困難になる。
【０００５】
本発明の課題は、電気ケーブルの接続端子を取り付け易い電動リール用バッテリーおよび電動リール用バッテリーセットを提供することにある。
【課題を解決するための手段】
【０００６】
第１発明にかかる電動リール用バッテリーは、バッテリー本体と、バッテリー本体上に設けられる外部電極端子とを備える。外部電極端子は、長さ３０ｍｍ以上の第１係止部と、第１係止部の一端と所定角度で繋がっており長さ３ｍｍ以上の第２係止部とを有する。
【０００７】
この電動リール用バッテリーでは、外部電極端子の第１係止部が３０ｍｍ以上の長さを有し、第２係止部が３ｍｍ以上の長さを有している。このため、電動リール用バッテリーと電動リールとを繋ぐために用いられる一般的な電気ケーブルの接続端子であれば、第１係止部と第２係止部とのいずれであっても係止することができる。また、第１係止部と第２係止部とは所定の角度で繋がっている。従って、この電動リール用バッテリーでは、少なくとも２方向から接続端子を外部電極端子に取り付けることができる。これにより、この電動リール用バッテリーでは、接続端子を取り付ける位置や取付方向の自由度が向上しており、バッテリー本体の設置方向が異なる場合であっても電気ケーブルの接続端子を外部電極端子に容易に取り付けることができる。
【０００８】
第２発明にかかる電動リール用バッテリーは、第１発明の電動リール用バッテリーであって、外部電極端子は、Ｌ字状に屈曲した形状を有する。
【０００９】
この電動リール用バッテリーでは、外部電極端子は、第１係止部と第２係止部によって形成されるＬ字状に屈曲した形状を有する。このため、第１係止部と第２係止部とのいずれであっても接続端子を取り付けることが可能であり、第１係止部に取り付ける場合と第２係止部に取り付ける場合とで異なる方向から接続端子を外部電極端子に取り付けることができる。
【００１０】
第３発明にかかる電動リール用バッテリーは、第１発明の電動リール用バッテリーであって、外部電極端子は、第１係止部の他端と所定角度で繋がっており長さ３ｍｍ以上の第３係止部をさらに有し、Ｕ字状に屈曲した形状を有する。
【００１１】
この電動リール用バッテリーでは、外部電極端子は、第１係止部と第２係止部と第３係止部とによって形成されるＵ字状に屈曲した形状を有する。このため、第１係止部と第２係止部と第３係止部とのいずれであっても接続端子を取り付けることが可能であり、第１係止部に取り付ける場合と第２係止部に取り付ける場合と第３係止部に取り付ける場合とで異なる方向から接続端子を外部電極端子に取り付けることができる。
【００１２】
第４発明にかかる電動リール用バッテリーセットは、電動リール用バッテリーと、電気ケーブルとを備える。電動リール用バッテリーは、バッテリー本体と、バッテリー本体上に設けられる外部電極端子とを有する。電気ケーブルは、外部電極端子に接続される接続端子を有し、電動リール用バッテリーと電動リールとを繋ぐ。そして、外部電極端子は、接続端子が係止可能な長さの第１係止部と、第１係止部の一端と所定角度で繋がっており接続端子が係止可能な長さの第２係止部とを有する。
【００１３】
この電動リール用バッテリーセットでは、外部電極端子の第１係止部と第２係止部とが共に接続端子が係止可能な長さを有している。このため、電気ケーブルの接続端子は、第１係止部と第２係止部とのいずれであっても係止することが可能である。また、第１係止部と第２係止部とは所定の角度で繋がっている。従って、この電動リール用バッテリーセットでは、少なくとも２方向から接続端子を外部電極端子に取り付けることが可能である。これにより、この電動リール用バッテリーセットでは、接続端子を取り付ける位置や取付方向の自由度が向上しており、バッテリー本体の設置方向が異なる場合であっても電気ケーブルの接続端子を外部電極端子に容易に取り付けることができる。
【００１４】
第５発明にかかる電動リール用バッテリーセットは、第４発明の電動リール用バッテリーセットであって、外部電極端子は、Ｌ字状に屈曲した形状を有する。
【００１５】
この電動リール用バッテリーセットでは、外部電極端子は、第１係止部と第２係止部によって形成されるＬ字状に屈曲した形状を有する。このため、第１係止部と第２係止部とのいずれであっても接続端子を取り付けることが可能であり、第１係止部に取り付ける場合と第２係止部に取り付ける場合とで異なる方向から接続端子を外部電極端子に取り付けることができる。
【００１６】
第６発明にかかる電動リール用バッテリーセットは、第４発明の電動リール用バッテリーセットであって、外部電極端子は、第１係止部の他端と所定角度で繋がっており接続端子が係止可能な長さの第３係止部をさらに有し、Ｕ字状に屈曲した形状を有する。
【００１７】
この電動リール用バッテリーセットでは、外部電極端子は、第１係止部と第２係止部と第３係止部とによって形成されるＵ字状に屈曲した形状を有する。このため、第１係止部と第２係止部と第３係止部とのいずれであっても接続端子を取り付けることが可能であり、第１係止部に取り付ける場合と第２係止部に取り付ける場合と第３係止部に取り付ける場合とで異なる方向から接続端子を外部電極端子に取り付けることができる。
【発明の効果】
【００１８】
本発明にかかる電動リール用バッテリーでは、外部電極端子の第１係止部と第２係止部とが共に電気ケーブルの接続端子が係止可能な長さを有しており、第１係止部と第２係止部とのいずれであっても接続端子が係止することが可能である。また、第１係止部と第２係止部とは所定の角度で繋がっている。従って、この電動リール用バッテリーでは、少なくとも２方向から接続端子を外部電極端子に取り付けることが可能である。これにより、この電動リール用バッテリーでは、接続端子を取り付ける位置や取付方向の自由度が向上しており、バッテリー本体の設置方向が異なる場合であっても電気ケーブルの接続端子を外部電極端子に容易に取り付けることができる。
【発明を実施するための最良の形態】
【００１９】
＜第１実施形態＞
〈構成〉
本発明の一実施形態に係る電動リール用バッテリー１及び電動リール用バッテリーセット１００を図１に示す。この電動リール用バッテリーセット１００は、電力を電動リール３に供給するためのものであり、電気ケーブル２と電動リール用バッテリー１とを備える。
【００２０】
〔電気ケーブル２〕
電気ケーブル２は、電動リール用バッテリー１と電動リール３とを繋ぐケーブルであり、電動リール用バッテリー１に蓄積された電力を電動リール３へ伝達する。電気ケーブル２は、一端側が二つに分かれており、各端部には後述する外部電極端子５，６に接続される第１バッテリー接続端子２１および第２バッテリー接続端子２２が設けられている。また、電気ケーブル２の他端には、リール接続端子２３が設けられている。
【００２１】
第１バッテリー接続端子２１および第２バッテリー接続端子２２は、外部電極端子５，６を把持することにより外部電極端子５，６に係止する部分であり、ここでは鰐口クリップが用いられている。この鰐口クリップの幅は、１０ｍｍである。第１バッテリー接続端子２１は第１外部電極端子５に接続され、第２バッテリー接続端子２２は第２外部電極端子６に接続される。
【００２２】
リール接続端子２３は、電動リール３の一側面に設けられたコネクタ部３１に接続される金属製のコネクタである。リール接続端子２３は、コネクタ部３１に設けられたネジ部と螺合することによって、コネクタ部３１に取り付けられる。
【００２３】
〔電動リール用バッテリー１〕
電動リール用バッテリー１は、電気ケーブル２を介して電動リール３に電気的に接続され、船縁近傍に載置可能なものである。電動リール用バッテリー１は、繰り返し充電可能なリチウムイオンバッテリーであり、小型且つ軽量であるため持ち運びが可能である。この電動リール用バッテリー１は、バッテリー本体４と、バッテリー本体４上に設けられる第１外部電極端子５および第２外部電極端子６とを有する。
【００２４】
バッテリー本体４は、図示しないバッテリーのセルや、セルの充電容量や出力を制御する回路基板を収納する箱状の部材である。バッテリー本体４の下面４１は平坦に形成されており、バッテリー本体４は下面４１を下にした状態で船縁等に載置可能となっている。また、バッテリー本体４の第１側面４２または第１側面４２の反対側に設けられた第２側面４０（図３参照）を下にして船縁等に載置することも可能である。バッテリー本体４の上面４３には、バッテリー本体４の長手方向に距離を隔てて２つの凹部４４，４５（以下、「第１凹部４４」および「第２凹部４５」と呼ぶ）が設けられている。第１凹部４４は、バッテリー本体４の第３側面４６まで達しており、バッテリー本体４の上方および第３側面４６の側方と連通する空間を形成している。第１凹部４４によって形成される空間は、バッテリー本体４の長手方向に沿った長細い形状を有しており、第１外部電極端子５が設置される。第２凹部４５は、第１凹部４４と概ね対称な形状を有しており、バッテリー本体４の上方および第４側面４７の側方と連通する空間を形成している。第２凹部４５には、第２外部電極端子６が設けられる。
【００２５】
第１外部電極端子５は、第１バッテリー接続端子２１が係止する部分である。第１外部電極端子５は、図２および図３に示すように、L字状に屈曲した直径約７ｍｍの金属棒から形成されており、第１係止部５１と第２係止部５２とを有する。なお、図３においては第１バッテリー接続端子２１を省略している。第１係止部５１は、第１凹部４４の第１側壁４８から側方に突出している部分であり、第１凹部４４の長手方向に沿って水平方向に延びている。なお、第１凹部４４は、第１係止部５１の長手方向に平行な第２側壁４９と、第１係止部５１を挟んで第２側壁４９の反対側に設けられた第３側壁５９とを有しており、第１係止部５１は、第２側壁４９と第３側壁５９との間に配置されている。第１係止部５１は、約３０ｍｍの長さｄ１を有しており、第１バッテリー接続端子２１が係止可能となっている（図２参照）。第２係止部５２は、第１凹部４４の底面５０から上方へ突出している部分であり、鉛直方向に延びている。第２係止部５２の上端は第１係止部５１の側端と約９０°の角度で繋がっている。第２係止部５２は、約１５ｍｍの長さｄ２を有しており、第１係止部５１の長さｄ１よりは短いが、第１バッテリー接続端子２１が係止可能となっている（図２の２点鎖線参照）。なお、第１外部電極端子５は、バッテリー本体４の内部において回路基板と接続されている。
【００２６】
第２外部電極端子６は、第１外部電極端子５と対称な形状を有しており、第２凹部４５に設けられている。
【００２７】
〈特徴〉
この電動リール用バッテリー１では、第１外部電極端子５の第１係止部５１が第１バッテリー接続端子２１に係止可能な長さｄ１を有している。このため、図２において矢印Ａ１で示すように、第１凹部４４の上方から第１バッテリー接続端子２１を第１係止部５１に容易に係止させることができる。また、第２係止部５２も第１バッテリー接続端子２１に係止可能な長さｄ２を有しているため、矢印Ａ２で示すように、第１凹部４４の側方から第１バッテリー接続端子２１を第２係止部５２に容易に係止させることができる。このため、上方と側方との２方向から第１バッテリー接続端子２１を第１外部電極端子５に接続することができ、上方からのみ接続可能な従来の電動リール用バッテリーと比べて接続位置および接続方向の自由度が向上している。第２バッテリー接続端子２２と第２外部電極端子６についても同様である。
【００２８】
また、この電動リール用バッテリー１では、接続位置および接続方向の自由度が向上しているため、バッテリー本体４の第１側面４２や第２側面４０を下にして船縁等に載置した場合でも、電気ケーブル２と電動リール用バッテリー１との接続が容易である。このため、縦置き、横置きを問わず、電気ケーブル２を電動リール用バッテリー１に容易に接続することができる。
＜第２実施形態＞
〈構成〉
本発明の第２実施形態に係る電動リール用バッテリー７の第１外部電極端子８を図４に示す。
【００２９】
この第１外部電極端子８は、Ｕ字状に屈曲した形状を有しており、第１係止部８１、第２係止部８２、第３係止部８３を有する。第１係止部８１は、水平方向に延びている部分である。第１係止部８１は、約３０ｍｍの長さｄ３を有しており、第１バッテリー接続端子２１が係止可能となっている。第２係止部８２は、バッテリー本体４の上面４３から上方へ突出しており、鉛直方向に延びている部分である。第２係止部８２の上端は第１係止部８１の一側端と約９０°の角度で繋がっている。第２係止部８２は、約１５ｍｍの長さｄ４を有しており、第１係止部８１の長さｄ３よりは短いが、第１バッテリー接続端子２１が係止可能となっている。第３係止部８３は、バッテリー本体４の上面４３から上方へ突出しており、鉛直方向に延びている部分である。第３係止部８３の上端は、第１係止部８１の他側端と約９０°の角度で繋がっている。第３係止部８３は、第２係止部８２と同じ約１５ｍｍの長さｄ５を有しており、第１バッテリー接続端子２１が係止可能となっている。なお、第２係止部８２は、バッテリー本体４の上面４３の長手方向における外側、すなわち、第３側面４６の近傍に位置しており、第３係止部８３は、バッテリー本体４の上面４３の長手方向における内側に位置している。
【００３０】
第２外部電極端子も第１外部電極端子８と同様の形状であり、第１外部電極端子８と対称に設けられている。他の構成については第１実施形態に係る電動リール用バッテリーセット１００と同様である。
【００３１】
〈特徴〉
この電動リール用バッテリー７では、第１外部電極端子８の第１係止部８１、第２係止部８２および第３係止部８３が第１バッテリー接続端子２１に係止可能な長さを有しているため、第１係止部８１、第２係止部８２、第３係止部８３のいずれの部分であっても第１バッテリー接続端子２１を容易に係止させることができる。また、上方から第１係止部８１に係止させること（矢印Ａ３参照）、第２係止部８２の側方から第２係止部８２に係止させること（矢印Ａ４参照）、第３係止部８３の側方から第３係止部８３に係止させること（矢印Ａ５参照）のいずれも可能である。このため、第１バッテリー接続端子２１の接続位置および接続方向の自由度が向上している。
【００３２】
また、この電動リール用バッテリー７では、接続方向の自由度が向上しているため、バッテリー本体４の第１側面４２や第２側面４０を下にして船縁等に載置した場合でも、電気ケーブル２と電動リール用バッテリー７との接続が容易である。
＜他の実施形態＞
（１）
第１係止部５１、第２係止部５２の長さは、上記のものに限られるものではなく、第１バッテリー接続端子２１および第２バッテリー接続端子２２が係止可能な長さであればよい。望ましくは、第１係止部５１の長さは３０ｍｍ以上であり、第２係止部５２の長さは３ｍｍ以上である。また、第１係止部５１、第２係止部５２の直径も上記のものに限られない。
【００３３】
第１係止部８１、第２係止部８２、第３係止部８３についても同様である。
【００３４】
（２）
上記の実施形態では、第１外部電極端子５，８は９０°に屈曲した形状を有しているが、第１外部電極端子５，８の屈曲角度はこれに限られるものではない。また、第１外部電極端子５，８は湾曲した形状であってもよい。
【００３５】
第２外部電極端子６についても同様である。
【００３６】
（３）
上記の実施形態では、第１係止部５１の長さｄ１と、第２係止部５２の長さｄ２とが第１バッテリー接続端子２１および第２バッテリー接続端子２２の幅よりも大きくなっており、直線状の第１係止部５１、第２係止部５２に第１バッテリー接続端子２１および第２バッテリー接続端子２２が係止可能となっているが、第１バッテリー接続端子２１および第２バッテリー接続端子２２の一部が第１係止部５１と第２係止部５２とを繋ぐ湾曲部に掛かっていてもよい。この場合、図５に示すように、第２係止部５２の下端から第１係止部５１の中心軸までの長さｄ６が、第１バッテリー接続端子２１および第２バッテリー接続端子２２の幅よりも大きければよい。例えば、上記の第１実施形態にように、第１係止部５１の直径が７ｍｍであり、第１バッテリー接続端子２１の幅が１０ｍｍであれば、第２係止部５２の長さは６．５ｍｍ以上であればよい。これにより、第１バッテリー接続端子２１および第２バッテリー接続端子２２が第１係止部５１の中心軸より下の部分を把持することができ、第２係止部５２および湾曲部に強固に係止することができる。
【産業上の利用可能性】
【００３７】
本発明は、電気ケーブルの接続端子を取り付け易い効果を有し、電動リール用バッテリーおよび電動リール用バッテリーセットとして有用である。
【図面の簡単な説明】
【００３８】
【図１】第１実施形態に係る電動リール用バッテリーセットの外観図。
【図２】第１実施形態に係る第１外部電極端子近傍の側面断面図。
【図３】第１実施形態に係る第１外部電極端子近傍の上面図。
【図４】第２実施形態に係る第１外部電極端子近傍の側面断面図。
【図５】他の実施形態に係る第１外部電極端子近傍の側面断面図。
【符号の説明】
【００３９】
１            電動リール用バッテリー
２            電気ケーブル
３            電動リール
４            バッテリー本体
５            第１外部電極端子（外部電極端子）
２１          第１バッテリー接続端子（接続端子）
５１，８１    第１係止部
５２，８２    第２係止部
８３          第３係止部
１００        電動リール用バッテリーセット
【図１】
2008054597.tif 000003
【図２】
2008054597.tif 000004
【図３】
2008054597.tif 000005
【図４】
2008054597.tif 000006
【図５】
2008054597.tif 000007